(57)【特許請求の範囲】
【請求項１】
シートバックの下端から延在するカーペット延長部と荷室側のデッキボードとを接合するカーペット連結装置において、
前記カーペット延長部の遊端部分とデッキボードの遊端部分とを重ね合わせ固定するときの目印として、前記デッキボードの表面には、カーペット延長部の奥行き位置決め用の仮想ラインに沿ってその後側を配置したマーク部と、カーペット延長部の幅と一致する位置に沿ってその外縁を配置したマーク部とが設けられていることを特徴とするカーペット連結装置。
【発明の詳細な説明】
【技術分野】
【０００１】
本発明は、シートバックの下端から延在するカーペット延長部と荷室側のデッキボードとを接合して、カーペット延長部とデッキボードとの一体感を出すためのカーペット連結装置に関するものである。
【背景技術】
【０００２】
従来、このような分野の技術として、特開平９−１０９７６１号公報がある。この公報に記載されたカーペット連結装置において、カーペット延長部の後端の板状支持部材から切り起こされた凸部は、荷室側のデッキボードの通孔内に弾力的に押し込まれる。これによって、カーペット延長部とデッキボードとを連結し、荷室に一体感を出すことができる。また、カーペット延長部とデッキボードとの連結を解除する必要が生じた場合には、カーペット延長部の凸部をデッキボードの通孔から抜き出すように、カーペット延長部のみを持ち上げる。このように、従来のカーペット連結装置は、カーペット延長部の凸部を荷室側のデッキボードの通孔内に単に押し込むだけでよく、組み付け作業が容易である。
【０００３】
【特許文献１】特開平９−１０９７６１号公報
【発明の開示】
【発明が解決しようとする課題】
【０００４】
前述した従来のカーペット連結装置は、デッキボード側に通孔が設けられており、カーペット延長部側から凸部が出ているので、目視により、カーペット延長部の遊端部分をデッキボードの遊端部分に比較的容易に重ね合わせ固定することができる。しかしながら、特許文献１の図７及び図８に示すようなカーペット連結装置では、カーペット延長部の遊端部分とデッキボードの遊端部分とを重ね合わせ固定する際に、クリップや面ファスナが利用されているので、目視により固定箇所を探し難く、カーペット延長部をデッキボードに組み付ける際の作業性が悪いといった問題点があった。
【０００５】
本発明は、カーペット延長部とデッキボードとの重ね合わせ固定作業を容易にしたカーペット連結装置を提供することを目的とする。
【課題を解決するための手段】
【０００６】
本発明に係るカーペット連結装置は、シートバックの下端から延在するカーペット延長部と荷室側のデッキボードとを接合するカーペット連結装置において、
前記カーペット延長部の遊端部分とデッキボードの遊端部分とを重ね合わせ固定するときの目印として、前記デッキボードの表面には、カーペット延長部の奥行き位置決め用の仮想ラインに沿ってその後側を配置したマーク部と、カーペット延長部の幅と一致する位置に沿ってその外縁を配置したマーク部とが設けられていることを特徴とする。
【０００７】
このカーペット連結装置には、デッキボードの表面にマーク部が設けられ、このマーク部を目視しながらカーペット延長部を引っ張ることができるので、カーペット延長部の必要以上の引っ張り過ぎを防止することができる。さらに、カーペット延長部の先端とデッキボード側のマーク部との位置合わせは、目視によって、カーペット延長部の遊端部分とデッキボードの遊端部分とを規定量だけ重ね合わせることができる。その結果として、カーペット延長部の裏面側に隠れている締結部とデッキボード側の締結部とを、目視作業すなわちブラインド作業によって正確に位置合わせすることができる。このように、マーク部の採用によって、カーペット延長部をデッキボードに組み付ける際の作業性が極めて良好になる。
【発明の効果】
【０００８】
本発明によれば、簡単な構成をもって、カーペット延長部とデッキボードとの重ね合わせ固定作業を正確且つ容易に行うことができる。
【発明を実施するための最良の形態】
【０００９】
以下、図面を参照しつつ本発明に係るカーペット連結装置の好適な実施形態について詳細に説明する。
【００１０】
図１に示すように、トランクスルー型車両の後部座席は、倒立可能なシートクッションＳCと前倒可能なシートバックＳＢとを有し、このシートバックＳＢはその裏面に、シートバックカーペット１が貼り付けられ、ブラケット６を介して車床に連結されている。さらに、シートバックＳＢの下端からはカーペット延長部１Ａが延在し、このカーペット延長部１Ａは、デッキボード２と繋げて荷室に一体感を出すために、シートバックカーペット１から略同幅で延長されたものである。
【００１１】
図1〜図３に示すように、カーペット延長部１Ａの遊端部分１０の裏面には、この先端Ａから少し奥まった位置に断面略Ｕ字状のフック部３が２本固定されている。弾性材によって形成された各フック部３は、所定長さの中空部を有した状態で車幅方向に延在すると共に、一直線上に並べられている。そして、各フック部３の先端部がデッキボード２側に向けられるように、フック部３の基端部は、縫合部によってカーペット延長部１Ａに固定され、フック部３の中空部はデッキボード２側で開放される。
【００１２】
このようにして固定されたフック部３の中空部内にはデッキボード２の先端部２０を差し入れることができる。また、デッキボード２の先端部２０は、「へ」の字状に折り曲げられ、フック部３への装着性を高めている。さらに、デッキボード２の表側には、荷室の一体感を出すために、カーペット延長部１Ａと同じ材質のカーペット生地が貼り付けられている。
【００１３】
さらに、カーペット連結装置には、フック部３とカーペット延長部１Ａの先端Ａとの間の遊端部分１０において、デッキボード２に対してカーペット延長部１Ａを着脱自在にする締結手段４Ａ，４Ｂが設けられている。この締結手段４Ａ，４Ｂは面ファスナであり、カーペット延長部１Ａの裏面には雄型面ファスナ(第１の面ファスナ半部)４Ａが縫合によって固定され、デッキボード２の表面をなすカーペット生地には雌型面ファスナ(第２の面ファスナ半部)４Ｂが縫合によって固定されている。そして、第１の面ファスナ４Ａは、各フック部３に並設させるようにカーペット延長部１Ａの先端側に固定されている。
【００１４】
前述したように、カーペット連結装置を、フック部３と締結手段４Ａ，４Ｂとで構成することで、デッキボード２にカーペット延長部１Ａを固定する際、デッキボード２の先端部２０がカーペット延長部１Ａ側のフック部３の中空部内に差し入れられるので、デッキボード２に対するカーペット延長部１Ａの容易且つ正確な位置合わせを可能にしている。
【００１５】
そして、このような正確な位置決めは、デッキボード２とカーペット延長部１Ａとの連結にあたって、着脱自在な第１の面ファスナ(締結部)４Ａと第２の面ファスナ(締結部)４Ｂとの正確な位置合わせをも可能にしている。従って、デッキボード２とカーペット延長部１Ａとを簡単な構成をもって容易且つ確実に連結することができる。さらに、面ファスナ４Ａ，４Ｂを採用することで、ワンタッチ式の着脱を可能にすると同時に、デッキボード２の表面にフラット感を出すことができる。
【００１６】
このようなカーペット連結装置であっても、フック部３や第１の面ファスナ４Ａは、カーペット延長部１Ａの裏面に隠れているため、カーペット延長部１Ａの遊端部分１０とデッキボード２の遊端部分とを重ね合わせる際に、カーペット延長部１Ａを必要以上に引っ張り過ぎることがある。また、カーペット延長部１Ａの裏面側に隠れている第１の面ファスナ４Ａとデッキボード２側の第２の面ファスナ４Ｂとを、目視作業すなわちブラインド作業で正確に位置合わせできるか否か作業者が不安になる場合がある。
【００１７】
そこで、図３〜図５に示すように、デッキボード２の表面には、カーペット延長部１Ａの先端Ａの位置合わせを達成するために、計４個のマーク部イ，ロが設けられている。マーク部イ，ロは、車幅方向に延在すると共に、デッキボード２の表面をなすカーペット生地の上に高周波プレスによって凹状になるように形成されている。２個一組の細長い直状の矩形マーク部ロの後側は、カーペット延長部１Ａの先端Ａの正確な位置合わせを可能にするために、奥行き側位置決め用の仮想ラインＢに沿って車幅方向に並設されている。
【００１８】
さらに、カーペット延長部１Ａの両側端Ｄの正確な位置合わせを可能にするために、デッキボード２の表面は、車幅方向における両端に左右一対のＬ字状マーク部イが設けられている。マーク部イにおいて、Ｌの一方の片の外縁は、デッキボード２の側端Ｄと一致するように延在する幅側位置決め用の仮想ラインＣに沿って延在し、Ｌの他方の片の外縁は、マーク部ロと一列になるように仮想ラインＢに沿って延在する。そして、左右一対のマーク部イの車幅方向の間隔は、カーペット延長部１Ａの幅と一致している。
【００１９】
従って、カーペット延長部１Ａの遊端部分１０とデッキボード２の遊端部分とを重ね合わせるに際し、デッキボード２の表面のマーク部イ，ロを目視しながらカーペット延長部１Ａを引っ張るので、カーペット延長部１Ａを必要以上に引っ張り過ぎることが防止される。
【００２０】
さらに、デッキボード２上でカーペット延長部１Ａを滑らせながら、カーペット延長部１Ａを引っ張り続け、デッキボード２のマーク部イ，ロが全て隠れた瞬間、カーペット延長部１Ａの遊端部分１０とデッキボード２の遊端部分とが規定量だけ重ね合わされる。そこで、作業者は、この状態をキープしたまま、カーペット延長部１Ａの遊端部分１０を上から押さえると、カーペット延長部１Ａの裏面側に隠れている第１の面ファスナ４Ａとデッキボード２側の第２の面ファスナ４Ｂとが正確に張り合わされる。
【００２１】
このように、目視作業すなわちブラインド作業によって、カーペット延長部１Ａの遊端部分１０とデッキボード２の遊端部分とを正確に重ね合わせることができ、カーペット延長部１Ａをデッキボード２に組み付ける作業性が極めて良好になる。
【図面の簡単な説明】
【００２２】
【図１】本発明に係るカーペット連結装置の一実施形態を適用した後部座席及びデッキボードを示す断面図である。
【図２】図１の要部拡大断面図である。
【図３】デッキボードからカーペット延長部を切り離した状態を示す要部拡大断面図である。
【図４】図３に対応する平面図である。
【図５】カーペット延長部の遊端部分とデッキボードの遊端部分とを重ね合わせた状態を示す平面図である。
【符号の説明】
【００２３】
１    シートバックカーペット
１Ａ  カーペット延長部
２    デッキボード
３    フック部
４Ａ，４Ｂ  締結手段
４Ａ  第１の面ファスナ(締結部)
４Ｂ  第２の面ファスナ(締結部)
１０  カーペット延長部の遊端部分
イ，ロ  マーク部
ＳＢ  シートバック
【図１】
0004677605.tif 000002
【図２】
0004677605.tif 000003
【図３】
0004677605.tif 000004
【図４】
0004677605.tif 000005
【図５】
0004677605.tif 000006